(57)【要約】【課題】  ネットワークを介して、設定されたキーワードに関連するＣＭのＣＭ情報を検索して、検索されたＣＭのＣＭ情報に基づいてＣＭを予約録画し、既に録画されているＣＭが録画後に更新されていない場合、そのＣＭを予約録画の対象から除外し、録画後所定期間経過した消去禁止に設定されていないＣＭを記録媒体から消去して、記録媒体の記録領域の空き領域を確保することができるようにする。【解決手段】  設定されたキーワードに関連するＣＭのＣＭ情報を、ネットワークを介してサーバ上から検索して、検索されたＣＭ情報のＣＭが録画済みでない場合に、或いは、録画後に更新されている場合に、検索されたＣＭ情報に基づいてＣＭの予約録画を設定して、予約録画が設定されたＣＭを受信して記録媒体に録画し、記録媒体に録画されているＣＭの中で録画後所定時間経過しているＣＭの中の消去禁止に設定されていないＣＭを記録媒体から消去するようにする。【選択図】        図１
2007059994.tif 000002
【特許請求の範囲】
【請求項１】
ＣＭのテレビ放送を受信するチューナを有し、ネットワークを介してサーバに接続可能な録画再生装置であって、
ＣＭのキーワードを設定するキーワード設定手段と、前記キーワード設定手段により設定されたキーワードに関連するＣＭのＣＭ情報を、ネットワークを介してサーバ上から検索するＣＭ情報検索手段と、前記ＣＭ情報検索手段により検索されたＣＭ情報のＣＭが録画済みでない場合に、或いは、前記ＣＭ情報検索手段により検索されたＣＭ情報のＣＭが録画後に更新されている場合に、前記ＣＭ情報検索手段により検索されたＣＭ情報に基づいてＣＭの予約録画を設定する予約録画設定手段と、前記予約録画設定手段により設定されたＣＭの予約録画を記憶する記憶手段と、前記記憶手段に記憶されている予約録画が設定されたＣＭを受信し、同じキーワードのＣＭを１つのキーワードのタイトルの下に、該ＣＭのタイトルと録画日とを付加して、受信されたＣＭを記録媒体に録画する録画手段と、記録媒体に録画されているＣＭの中で録画後所定時間経過しているＣＭを検索する録画ＣＭ検索手段と、前記録画ＣＭ検索手段により検索された録画後所定時間経過しているＣＭの中の消去禁止に設定されていないＣＭを記録媒体から消去する録画ＣＭ消去手段とを備えたことを特徴とする録画再生装置。
【請求項２】
ＣＭのテレビ放送を受信するチューナを有し、ネットワークを介してサーバに接続可能な録画再生装置であって、
ＣＭのキーワードを設定するキーワード設定手段と、前記キーワード設定手段により設定されたキーワードに関連するＣＭのＣＭ情報を、ネットワークを介してサーバ上から検索するＣＭ情報検索手段と、前記ＣＭ情報検索手段により検索されたＣＭ情報に基づいてＣＭの予約録画を設定する予約録画設定手段と、前記予約録画設定手段により設定されたＣＭの予約録画を記憶する記憶手段と、前記記憶手段に記憶されている予約録画が設定されたＣＭを受信し、該ＣＭのタイトルと録画日とを付加して、受信されたＣＭを記録媒体に録画する録画手段とを備えたことを特徴とする録画再生装置。
【請求項３】
予約録画設定手段は、前記ＣＭ情報検索手段により検索されたＣＭ情報のＣＭが録画済みでない場合に、前記ＣＭ情報検索手段により検索されたＣＭ情報に基づいてＣＭの予約録画を設定する予約録画設定手段であることを特徴とする請求項２記載の録画再生装置。
【請求項４】
予約録画設定手段は、前記ＣＭ情報検索手段により検索されたＣＭ情報のＣＭが録画後に更新されている場合に、前記ＣＭ情報検索手段により検索されたＣＭ情報に基づいてＣＭの予約録画を設定する予約録画設定手段であることを特徴とする請求項２記載の録画再生装置。
【請求項５】
前記録画手段は、同じキーワードのＣＭを１つのキーワードのタイトルの下に、受信されたＣＭを記録媒体に録画する録画手段であることを特徴とする請求項２記載の録画再生装置。
【請求項６】
記録媒体に録画されているＣＭの中で録画後所定時間経過しているＣＭを検索する録画ＣＭ検索手段と、前記録画ＣＭ検索手段により検索された録画後所定時間経過しているＣＭの中の消去禁止に設定されていないＣＭを記録媒体から消去する録画ＣＭ消去手段とを更に備えたことを特徴とする請求項２記載の録画再生装置。
【発明の詳細な説明】
【技術分野】
【０００１】
本発明は、ネットワークを介してサーバに接続可能な録画再生装置に係り、特にＣＭ（Ｃｏｍｍｅｒｃｉａｌ  Ｍｅｓｓａｇｅ）のキーワードを設定し、ネットワークを介してキーワードに関連するＣＭのＣＭ情報を検索して、検索されたＣＭを自動録画することができる録画再生装置に関する。
【背景技術】
【０００２】
一般に、テレビ放送番組を予約録画する場合、新聞のテレビ放送番組欄や電子番組ガイドを参照して所望のテレビ放送番組の予約録画を設定し、テレビ放送番組を記録媒体に録画するということが行われている。また、テレビ放送番組のキーワードを設定し、設定されたキーワードに関連するテレビ放送番組を検索して、検索されたテレビ放送番組を自動録画するようにしたものがある。しかし、ＣＭの場合、同じＣＭが複数のチャンネルの複数のテレビ放送番組の中で、或いは、複数のチャンネルの複数のテレビ放送番組間の時間帯で繰り返して放送されるため、既に録画されているＣＭが繰り返して記録媒体に録画され、記録媒体の記録領域の空き領域が不足するという問題点があった。また、上記自動録画は、ＣＭのみを自動録画するようにしたものではなかったため、ユーザが所望するキーワードを設定し、設定されたキーワードに関連するＣＭを検索して、ＣＭのみを自動録画することができないという問題点があった。
背景技術としては、コンテンツ自動録画の依頼メッセージを受けて、放送コンテンツ情報を参照してキーワードの放送コンテンツを録画するための録画依頼情報を登録し、登録された録画依頼情報を参照して、キーワードの放送コンテンツを録画するための録画リストを作成して端末装置に送信し、サーバから端末装置にＣＭ放送の放送コンテンツを送信するようにしたものがあった（例えば、特許文献１参照）。
また、ユーザが予め指定した検索キーワードを記憶し、放送映像に関する番組情報を収集して、番組情報と検索キーワードと照合することによって録画対象となる番組を自動的に選択し、録画対象となった番組の受信映像を画像ファイルに蓄積するようにしたものがあった（例えば、特許文献２参照）。
また、キーワードを所定のサーバから通信回線を介してダウンロードし、ダウンロードされたキーワードを含む番組選択条件を設定して、番組選択条件を設定するために使用するキーワードを記憶し、設定された番組選択条件に合致した番組の番組情報を取得して、取得された番組情報を記録媒体に記録するようにしたものがあった（例えば、特許文献３参照）。
【特許文献１】特開２００２−５１２９１号公報
【特許文献２】特開２０００−１７５１４１号公報
【特許文献３】特開２００３−３０９７８７号公報
【発明の開示】
【発明が解決しようとする課題】
【０００３】
しかしながら、背景技術で述べたもののうち最初のものにおいては、コンテンツ自動録画の依頼メッセージを受けて、放送コンテンツ情報を参照してキーワードの放送コンテンツを録画するための録画依頼情報を登録し、登録された録画依頼情報を参照して、キーワードの放送コンテンツを録画するための録画リストを作成して端末装置に送信し、サーバから端末装置にＣＭ放送の放送コンテンツを送信することができたが、サーバから送信された録画リストの画面に表示された放送コンテンツの録画を選択する録画ボタンをクリックして、所望の放送コンテンツの送信をサーバに依頼しなければならなかった。
また、次のものにおいては、ユーザが予め指定した検索キーワードを記憶し、放送映像に関する番組情報を収集して、番組情報と検索キーワードと照合することによって録画対象となる番組を自動的に選択し、録画対象となった番組の受信映像を画像ファイルに蓄積することができたが、指定された検索キーワードの録画対象となる番組を選択して、録画対象となった番組の受信映像を画像ファイルに蓄積し、再生された映像、或いは、再生後に消去が指定された映像を画像ファイルから消去するようにしたものであって、上記問題点を解決するようにしたものではなかった。
また、更にその次のものにおいては、キーワードを所定のサーバから通信回線を介してダウンロードし、ダウンロードされたキーワードを含む番組選択条件を設定して、番組選択条件を設定するために使用するキーワードを記憶し、設定された番組選択条件に合致した番組の番組情報を取得して、取得された番組情報を記録媒体に記録することができたが、番組選択条件を選択するために使用するキーワードを所定のサーバから通信回線を介してダウンロードすることにより、ユーザが操作キーを操作してキーワードを入力しなくてもよいようにしたものであって、上記問題点を解決するようにしたものではなかった。
本発明は、背景技術の有するこのような問題点に鑑みてなされたものであり、その目的とするところは、ネットワークを介して、設定されたキーワードに関連するＣＭのＣＭ情報を検索して、検索されたＣＭのＣＭ情報に基づいてＣＭを予約録画し、既に録画されているＣＭが録画後に更新されていない場合、そのＣＭを予約録画の対象から除外し、録画後所定期間経過した消去禁止に設定されていないＣＭを記録媒体から消去して、記録媒体の記録領域の空き領域を確保することができる録画再生装置を提供しようとするものである。
【課題を解決するための手段】
【０００４】
上記目的を達成するため本発明においては、ＣＭのテレビ放送を受信するチューナを有し、ネットワークを介してサーバに接続可能な録画再生装置であって、ＣＭのキーワードを設定するキーワード設定手段と、前記キーワード設定手段により設定されたキーワードに関連するＣＭのＣＭ情報を、ネットワークを介してサーバ上から検索するＣＭ情報検索手段と、前記ＣＭ情報検索手段により検索されたＣＭ情報に基づいてＣＭの予約録画を設定する予約録画設定手段と、前記予約録画設定手段により設定されたＣＭの予約録画を記憶する記憶手段と、前記記憶手段に記憶されている予約録画が設定されたＣＭを受信し、該ＣＭのタイトルと録画日とを付加して、受信されたＣＭを記録媒体に録画する録画手段とを備える。
予約録画設定手段は、前記ＣＭ情報検索手段により検索されたＣＭ情報のＣＭが録画済みでない場合に、前記ＣＭ情報検索手段により検索されたＣＭ情報に基づいてＣＭの予約録画を設定するようにするとよい。
また、予約録画設定手段は、前記ＣＭ情報検索手段により検索されたＣＭ情報のＣＭが録画後に更新されている場合に、前記ＣＭ情報検索手段により検索されたＣＭ情報に基づいてＣＭの予約録画を設定するようにするとよい。
前記録画手段は、同じキーワードのＣＭを１つのキーワードのタイトルの下に、受信されたＣＭを記録媒体に録画するようにするとよい。
更に、記録媒体に録画されているＣＭの中で録画後所定時間経過しているＣＭを検索する録画ＣＭ検索手段と、前記録画ＣＭ検索手段により検索された録画後所定時間経過しているＣＭの中の消去禁止に設定されていないＣＭを記録媒体から消去する録画ＣＭ消去手段とを備える。
これらの手段により、ネットワークを介して、設定されたキーワードに関連するＣＭのＣＭ情報を検索して、検索されたＣＭのＣＭ情報に基づいてＣＭを予約録画し、既に録画されているＣＭが録画後に更新されていない場合、そのＣＭを予約録画の対象から除外し、録画後所定期間経過した消去禁止に設定されていないＣＭを記録媒体から消去して、記録媒体の記録領域の空き領域を確保することができる。
【発明の効果】
【０００５】
請求項１記載の発明に係る録画再生装置によれば、ＣＭのキーワードを設定し、設定されたキーワードに関連するＣＭのＣＭ情報を、ネットワークを介してサーバ上から検索して、検索されたＣＭ情報のＣＭが録画済みでない場合に、或いは、検索されたＣＭ情報のＣＭが録画後に更新されている場合に、検索されたＣＭ情報に基づいてＣＭの予約録画を設定し、設定されたＣＭの予約録画を記憶して、記憶されている予約録画が設定されたＣＭを受信し、同じキーワードのＣＭを１つのキーワードのタイトルの下に、該ＣＭのタイトルと録画日とを付加して、受信されたＣＭを記録媒体に録画し、記録媒体に録画されているＣＭの中で録画後所定時間経過しているＣＭを検索して、検索された録画後所定時間経過しているＣＭの中の消去禁止に設定されていないＣＭを記録媒体から消去するようにしているので、ネットワークを介して、設定されたキーワードに関連するＣＭのＣＭ情報を検索して、検索されたＣＭのＣＭ情報に基づいてＣＭを予約録画し、既に録画されているＣＭが録画後に更新されていない場合、そのＣＭを予約録画の対象から除外し、録画後所定期間経過した消去禁止に設定されていないＣＭを記録媒体から消去して、記録媒体の記録領域の空き領域を確保することができる。
請求項２記載の発明に係る録画再生装置によれば、ＣＭのキーワードを設定し、前記キーワード設定手段により設定されたキーワードに関連するＣＭのＣＭ情報を、ネットワークを介してサーバ上から検索して、検索されたＣＭ情報に基づいてＣＭの予約録画を設定し、設定されたＣＭの予約録画を記憶して、記憶されている予約録画が設定されたＣＭを受信し、該ＣＭのタイトルと録画日とを付加して、受信されたＣＭを記録媒体に録画するようにしているので、ネットワークを介して、設定されたキーワードに関連するＣＭのＣＭ情報を検索して、検索されたＣＭのＣＭ情報に基づいてＣＭを予約録画することができる。
請求項３記載の発明に係る録画再生装置によれば、検索されたＣＭ情報のＣＭが録画済みでない場合に、前記ＣＭ情報検索手段により検索されたＣＭ情報に基づいてＣＭの予約録画を設定するようにしているので、記録媒体に録画されていないＣＭを予約録画することができる。
請求項４記載の発明に係る録画再生装置によれば、検索されたＣＭ情報のＣＭが録画後に更新されている場合に、検索されたＣＭ情報に基づいてＣＭの予約録画を設定するようにしているので、ネットワークを介して、設定されたキーワードに関連するＣＭのＣＭ情報を検索して、検索されたＣＭのＣＭ情報に基づいてＣＭを予約録画し、既に録画されているＣＭが録画後に更新されていない場合、そのＣＭを予約録画の対象から除外することができる。
請求項５記載の発明に係る録画再生装置によれば、同じキーワードのＣＭを１つのキーワードのタイトルの下に、受信されたＣＭを記録媒体に録画するようにしているので、所望のキーワードのタイトルを検索することにより記録媒体に録画されている同じキーワードのＣＭを容易に検索することができる。
請求項６記載の発明に係る録画再生装置によれば、記録媒体に録画されているＣＭの中で録画後所定時間経過しているＣＭを検索して、検索された録画後所定時間経過しているＣＭの中の消去禁止に設定されていないＣＭを記録媒体から消去するようにしているので、録画後所定期間経過した消去禁止に設定されていないＣＭを記録媒体から消去して、記録媒体の記録領域の空き領域を確保することができる。
【発明を実施するための最良の形態】
【０００６】
以下、適宜図面を参照しながら本発明を実施するための最良の形態を詳述する。図１は本発明の一実施例の録画再生装置の構成を示すブロック図であり、図２は本発明の一実施例の録画再生装置のキーワードの設定画面の表示例を示す説明図であり、図３は本発明の一実施例の録画再生装置の予約録画を示す説明図であり、図４は本発明の一実施例の録画再生装置の動作を示すフローチャートである。
まず、図１の本発明の一実施例の録画再生装置の構成を示すブロック図を基に説明する。
録画再生装置１は、ハードディスクに映像音声データを録画再生するＨＤＤ（Ｈａｒｄ  Ｄｉｓｋ  Ｄｒｉｖｅ）部２と、ＤＶＤ（Ｄｉｇｉｔａｌ  Ｖｅｒｓａｔｉｌｅ  Ｄｉｓｋ）等の光ディスクに映像音声データを録画再生するＤＶＤ部３と、ＨＤＤ部２とＤＶＤ部３との映像音声データの録画再生を制御するストレージ制御部４と、映像音声データの圧縮、伸張、複合、符号化等の信号処理を行う信号処理回路５と、録画再生装置１のシステム全体を制御するマイコン６と、ＣＭのキーワード、予約録画の設定等を記憶する不揮発性メモリのフラッシュＲＯＭ（Ｒｅａｄ−Ｏｎｌｙ  Ｍｅｍｏｒｙ）７と、日付と時刻とを管理する時計回路８と、アンテナ１３により受信されたテレビ放送電波から選択されたチャンネルのテレビ放送を受信するチューナ９と、文字情報データを映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路１０と、ネットワーク４０を介してサーバ５０に接続するモデム１１と、リモコン装置２０から送信された赤外線信号のリモコン信号を受信して、所定の電気信号に変換するリモコン受信部１２とで構成されている。
以上のように構成された録画再生装置について、以下その動作について説明する。
ユーザがモニタ装置３０の画面に表示されたメニュ画面（図示せず）の「キーワードの設定」を選択して、リモコン装置２０の操作キーを操作してキーワードの設定画面で所望するＣＭのキーワード、例えば、「車」を入力し、ＣＭのキーワードを設定して（図２参照）、録画再生装置１をモデム１１によりネットワーク４０を介してサーバ５０に接続すると、マイコン６は、ネットワーク４０を介して、設定されたキーワードに関連するＣＭのＣＭ情報をサーバ５０上から検索する。なお、入力されたＣＭのキーワードはフラッシュＲＯＭ７に記憶され、設定が解除されているＣＭのキーワード、例えば、「バイク」は検索対象から除外される（図２参照）。また、入力されたＣＭのキーワードを削除することも可能である。
ユーザが設定したキーワードに関連するＣＭのＣＭ情報がネットワーク４０を介してサーバ５０上から検索されると、マイコン６は、ストレージ制御部４に制御信号を送出して、ＨＤＤ部２のハードディスクに録画されているＣＭを検索し、ネットワーク４０を介して検索されたキーワードに関連するＣＭ情報のＣＭが録画済みであるか否かを判別し、ネットワーク４０を介して検索されたキーワードに関連するＣＭ情報のＣＭが録画済みでない場合、ネットワーク４０を介して検索されたＣＭ情報に基づいて、設定されたキーワードに関連するＣＭの予約録画を設定し（図３参照）、設定されたＣＭの予約録画をフラッシュＲＯＭ７に記憶する。
また、ネットワーク４０を介して検索されたキーワードに関連するＣＭ情報のＣＭがＨＤＤ部２のハードディスクに録画済みである場合、マイコン６は、ＨＤＤ部２のハードディスクに録画されているＣＭが録画後に更新されているか否かを判別し、ＨＤＤ部２のハードディスクに録画されているＣＭが録画後に更新されている場合、ネットワーク４０を介して検索されたＣＭ情報に基づいて、設定されたキーワードに関連するＣＭの予約録画を設定し（図３参照）、設定されたＣＭの予約録画をフラッシュＲＯＭ７に記憶する。
時計回路８が管理する日付、時刻がフラッシュＲＯＭ７に記憶されている予約録画が設定されたＣＭの録画日の録画開始時刻になると、マイコン６は、チューナ９に制御信号を送出して、予約録画が設定されたＣＭを受信し、ストレージ制御部４に制御信号を送出して、受信されたＣＭをＣＭのタイトルと録画日とを付加して、受信されたＣＭをＨＤＤ部２のハードディスクに録画する。なお、同じキーワードのＣＭは、１つのキーワードのタイトルの下にＨＤＤ部２のハードディスクに録画されるようになっていて、所望のキーワードのタイトルを検索することによりＨＤＤ部２のハードディスクに録画されている同じキーワードのＣＭを容易に検索することができるようになっている。
フラッシュＲＯＭ７に記憶されている予約録画が設定された全てのＣＭの予約録画が終了すると、マイコン６は、ＨＤＤ部２のハードディスクの記録領域の空き領域確保するために、ストレージ制御部４に制御信号を送出して、ＨＤＤ部２のハードディスクに録画されているＣＭを検索し、録画されているＣＭが録画後所定期間、例えば、録画後に１ヶ月経過しているか否かを判別して、録画されているＣＭが録画後所定期間経過している場合、録画後所定期間経過しているＣＭの中の消去禁止に設定されていないＣＭ、例えば、「ＡＢＣ１８０」をＨＤＤ部２のハードディスクから消去する（図３参照）。これにより、ＨＤＤ部２のハードディスクの記録領域の空き領域を確保することができる。
また、図４の本発明の一実施例の録画再生装置の動作を示すフローチャートを基に説明する。
ＣＭのキーワードが設定され、録画再生装置がネットワークを介してサーバに接続されると、ステップＳ１からステップＳ２に進み、ステップＳ２で、設定されたキーワードに関連するＣＭのＣＭ情報がネットワークを介してサーバ上から検索され、ステップＳ３に進む。
ステップＳ３で、ネットワークを介してサーバ上から検索されたキーワードに関連するＣＭ情報のＣＭが録画済みであるか否かが判断され、ネットワークを介してサーバ上から検索されたキーワードに関連するＣＭ情報のＣＭが録画済みである場合、ステップＳ４に進み、ネットワークを介してサーバ上から検索されたキーワードに関連するＣＭ情報のＣＭが録画済みでない場合、ステップＳ５に進む。
ステップＳ４で、ＨＤＤ部のハードディスクに録画されているＣＭが録画後に更新されているか否かが判断され、ＨＤＤ部のハードディスクに録画されているＣＭが録画後に更新されている場合、ステップＳ５に進み、ＨＤＤ部のハードディスクに録画されているＣＭが録画後に更新されていない場合、ステップＳ６に進む。
ステップＳ５で、ネットワークを介してサーバ上から検索されたキーワードに関連するＣＭのＣＭ情報に基づいてＣＭの予約録画が設定され、フラッシュＲＯＭに記憶されて、ステップＳ６に進む。
ステップＳ６で、設定されたキーワードに関連するＣＭのＣＭ情報の検索が終了したか否かが判断され、設定されたキーワードに関連するＣＭのＣＭ情報の検索が終了した場合、ステップＳ７に進み、設定されたキーワードに関連するＣＭのＣＭ情報の検索が終了していない場合、ステップＳ２に戻って、ステップＳ２からのステップを繰り返す。
ステップＳ７で、フラッシュＲＯＭに記憶されている予約録画が設定されたＣＭの録画開始時刻になったか否かが判断され、予約録画が設定されたＣＭの録画開始時刻になった場合、ステップＳ８に進み、予約録画が設定されたＣＭの録画開始時刻になっていない場合、ステップＳ７のステップを繰り返す。
ステップＳ８で、チューナによりＣＭが受信されて、ＣＭのタイトルと録画日とが付加されて、受信されたＣＭがＨＤＤ部のハードディスクに録画され、ステップＳ９に進む。
ステップＳ９で、予約録画が設定されたＣＭの録画が終了したか否かが判断され、予約録画が設定されたＣＭの録画が終了した場合、ステップＳ１０に進み、予約録画が設定されたＣＭの録画が終了していない場合、ステップＳ８に戻って、ステップＳ８からのステップを繰り返す。
ステップＳ１０で、フラッシュＲＯＭに記憶されている予約録画が設定された全てのＣＭの予約録画が終了したか否かが判断され、フラッシュＲＯＭに記憶されている予約録画が設定された全てのＣＭの予約録画が終了した場合、ステップＳ１１に進み、フラッシュＲＯＭに記憶されている予約録画が設定された全てのＣＭの予約録画が終了していない場合、ステップＳ７に戻って、ステップＳ７からのステップを繰り返す。
ステップＳ１１で、ＨＤＤ部のハードディスクに録画されているＣＭが検索され、ステップＳ１２に進む。
ステップＳ１２で、ＨＤＤ部のハードディスクに録画されているＣＭが録画後所定期間経過しているか否かが判断され、録画されているＣＭが録画後所定期間経過している場合、ステップＳ１３に進み、録画されているＣＭが録画後所定期間経過していない場合、ステップＳ１５に進む。
ステップＳ１３で、録画後所定期間経過しているＣＭが消去禁止に設定されているか否かが判断され、録画後所定期間経過しているＣＭが消去禁止に設定されている場合、ステップＳ１５に進み、録画後所定期間経過しているＣＭが消去禁止に設定されていない場合、ステップＳ１４に進む。
ステップＳ１４で、消去禁止に設定されていない録画後所定時間経過しているＣＭがＨＤＤ部のハードディスクから消去され、ステップＳ１５に進む。
ステップＳ１５で、ＨＤＤ部のハードディスクに録画されているＣＭの編集が終了したか否かが判断され、録画されているＣＭの編集が終了した場合、ステップＳ１６に進んで処理を終了し、録画されているＣＭの編集が終了していない場合、ステップＳ１１に戻って、ステップＳ１１からのステップを繰り返す。
以上、本発明を実施するための最良の形態について詳述したが、本発明はこれに限定されるものではなく、当業者の通常の知識の範囲内でその変形や改良が可能であることはいうまでもない。例えば、ＣＭのテレビ放送をチューナにより受信することを説明したが、ネットワークを介してサーバからダウンロードするようにしてもよい。また、ＣＭをＨＤＤ部のハードディスクに録画することを説明したが、ＣＭをＤＶＤ部の光ディスクに録画するようにしてもよい。
【図面の簡単な説明】
【０００７】
【図１】本発明の一実施例の録画再生装置の構成を示すブロック図である。
【図２】本発明の一実施例の録画再生装置のキーワードの設定画面の表示例を示す説明図である。
【図３】本発明の一実施例の録画再生装置の予約録画を示す説明図である。
【図４】本発明の一実施例の録画再生装置の動作を示すフローチャートである。
【符号の説明】
【０００８】
１  録画再生装置
２  ＨＤＤ部
３  ＤＶＤ部
４  ストレージ制御部
５  信号処理回路
６  マイコン
７  フラッシュＲＯＭ
８  時計回路
９  チューナ
１０  ＯＳＤ回路
１１  モデム
１２  リモコン受信部
１３  アンテナ
２０  リモコン装置
３０  モニタ装置
３０ａ  画面
４０  ネットワーク
５０  サーバ
【図１】
2007059994.tif 000003
【図２】
2007059994.tif 000004
【図３】
2007059994.tif 000005
【図４】
2007059994.tif 000006